(57)【要約】【課題】簡易な構造で，ディスプレイ本体のティルティング角度を容易かつ微細に調節する。【解決手段】ディスプレイ本体の背面下方で設置面に対して回動可能に設置された下部ヒンジ部と；ディスプレイ本体の背面上方でディスプレイ本体と壁面との連結のため，一端部が壁面と回動可能に結合される第１リンクと，一端部がディスプレイ本体と回動可能に結合され，他端部が第１リンクの他端部と相互回動可能に結合される第２リンクと，第１リンク及び第２リンクの各回動地点のうち少なくとも一つに設置されて，ディスプレイ本体が壁面から離隔されることに抵抗する弾性力を有するスプリング部材と，を有するリンク組立体と；から構成される。【選択図】　　図１
2004007369.tif 000002
【特許請求の範囲】
【請求項１】
画像部を有するディスプレイ本体を含むディスプレイ装置において，
前記ディスプレイ本体の背面下方で設置面に対して回動可能に設置された下部ヒンジ部と；
前記ディスプレイ本体の背面上方で前記ディスプレイ本体と前記設置面との連結するために設置されるリンク組立体であって；一端部が前記設置面と回動可能に結合され，かつ他端部が第２リンクと相互回動可能に結合される第１リンクと，一端部が前記ディスプレイ本体と回動可能に結合され，他端部が前記第１リンクの前記他端部と相互回動可能に結合される前記第２リンクと，前記第１リンク及び前記第２リンクの各回動地点のうち少なくとも１つに設置され，前記ディスプレイ本体の前記設置面から離隔方向への回動動作に抵抗する弾性力を有するスプリング部材と，を有する前記リンク組立体と；から構成される，
ことを特徴とするディスプレイ装置。
【請求項２】
前記リンク組立体は，さらに，前記第１リンクと前記第２リンクとの回動部に設置され，前記第１リンクと前記第２リンクとの摩擦力を提供する摩擦部を有する，ことを特徴とする請求項１に記載のディスプレイ装置。
【請求項３】
前記摩擦部の摩擦力は，前記スプリング部材の弾性力より大きい，ことを特徴とする請求項２に記載のディスプレイ装置。
【請求項４】
前記スプリング部材は，捻りコイルスプリングであると共に，
前記捻りコイルスプリングは，一方が前記第１リンクに支持され，他方が前記第２リンクに支持される，
ことを特徴とする請求項３に記載のディスプレイ装置。
【請求項５】
前記摩擦部は，
締結ボルトが，前記第１リンク及び前記第２リンクの回動部と，前記捻りコイルスプリング内に貫通挿入されて，少なくとも一つのワッシャを介して締結ナットに締結されることにより形成される，
ことを特徴とする請求項４に記載のディスプレイ装置。
【請求項６】
前記ディスプレイ装置は，さらに，前記設置面に装着されて，前記ディスプレイ本体及び前記リンク組立体を支持する固定ブラケットを有すると共に，
前記固定ブラケットは，上方に前記第２リンクの一端部と回動可能に結合される第１リンクブラケットと，下方に前記ディスプレイ本体の背面の下方と回動可能に結合される第２リンクブラケットと，を有する，
ことを特徴とする請求項１に記載のディスプレイ装置。
【請求項７】
前記ディスプレイ装置は，さらに，前記ディスプレイ本体の背面に脱着可能に設置されて，前記リンク組立体及び前記固定ブラケットと結合する本体ブラケットを有すると共に，
前記本体ブラケットは，上方が前記第１リンクの一端部と回動可能に結合され，下方が前記固定ブラケットの第２リンクブラケットと回動可能に結合される，
ことを特徴とする請求項６に記載のディスプレイ装置。
【請求項８】
前記ディスプレイ本体の背面には，前記本体ブラケットを結合するための少なくとも１つの結合ボルトが設置されると共に，
前記本体ブラケットは，前記ディスプレイ本体の前記結合ボルトを受容する結合受容部を有する，
ことを特徴とする請求項７に記載のディスプレイ装置。
【請求項９】
前記結合ボルトは，前記ディスプレイ本体の背面に所定間隔で締結されると共に，
前記結合ボルトは，その頭部の断面積が前記結合ボルトのネジ部の断面積より大きくなるように形成され，及び
前記結合受容部は，その上方は前記結合ボルトの前記頭部の断面積より大きく形成されると共に，その下方は前記結合ボルトの前記頭部の断面積より小さく，かつ前記結合ボルトの前記ネジ部より大きい断面積を有するように形成されている，
ことを特徴とする請求項８に記載のディスプレイ装置。
【請求項１０】
前記結合受容部は，複数の位置に形成されている，
ことを特徴とする請求項９に記載のディスプレイ装置。
【請求項１１】
前記結合受容部に挿入された前記結合ボルトは，安全ボルトにより固定されている，
ことを特徴とする請求項９に記載のディスプレイ装置。
【発明の詳細な説明】
【０００１】
【発明の属する技術分野】
本発明は，ディスプレイ装置に関し，より詳細には，ディスプレイ本体を壁面に装着する構造を有するディスプレイ装置に関する。
【０００２】
【従来の技術】
近年においては，ディスプレイ本体の画像部がＬＣＤ及びＰＤＰなどで形成されるフラットディスプレイパネルが開発されている。かかるフラットディスプレイパネルは，従来よりも大面積の画像部と薄型化が実現されているが，かかるディスプレイ本体は，通常，設置装置を介して壁面の所定位置に装着される。
【０００３】
従来のディスプレイ本体等が設置装置を介して壁面に装着されたディスプレイ装置を，以下に説明する（例えば，特許文献１〜特許文献１４参照）。
【０００４】
従来のディスプレイ装置は，図６に示すように，画像部を有するディスプレイ本体１０１と，ディスプレイ本体１０１を支持する一対のアーム１５０と，アーム１５０の下方と回動自在に結合され，その一方が壁面に装着されるベース１３０と，アーム１５０とベース１３０との間に設置されて，アーム１５０とベース１３０とを回動可能に結合するマウンティングブラケット１１０と，から構成される。
【０００５】
マウンティングブラケット１１０は，一端部がベース１３０の上方に回動自在に結合される第１リンク１１３と，一端部がアーム１５と回動自在に結合され，他端部が第１リンク１１３の他端部と回動自在に結合される第２リンク１１７と，第１リンク１１３の他端部と第２リンク１１７の他端部とを結合して，相互回動を制御するロッキング部材１１６と，から構成される。
【０００６】
ロッキング部材１１６は，内部に圧縮コイルスプリング（図示せず）が設置されており，圧縮コイルスプリングの弾性力によりロッキング部材１１６が第１リンク１１３及び第２リンク１１７の相互回動をロッキング及びロッキング解除することができる。また，ロッキング部材１１６は，７段階の傾斜角度のうち所望する傾斜角度にだけロッキングすることができる。
【０００７】
また，ベース１３０には，緩衝部が設置されている。緩衝部は，ベース１３０に固定されたガスダンパ１６０と，一端部がガスダンパ１６０の上端部と連結され他端部が一対のアーム１５０の間に連結された軸（図示せず）と連結されるワイヤ１６１と，を有する。これにより，ロッキング部材１１６が解除された状態で，ディスプレイ本体１０１がその自重により前方に回動して倒れることを抑制することができる。
【０００８】
このように，従来のディスプレイ装置は，ディスプレイ本体と壁面との間にアーム及びベースを設け，アームとベースとの間にマウンティングブラケットがさらに設置されているので，ディスプレイ本体などの対象物は所定軸を中心として回動自在となる。また，マウンティングブラケットには，ロッキング部材が設置されているので，ディスプレイ本体を所定の回動位置でロッキング及びロッキング解除することができる。さらに，ガスダンパ及びワイヤを有する緩衝部がベースに設置されているので，ロッキング部材が解除された状態で，ディスプレイ本体が自重により転倒することが防止される。したがって，ユーザは，ディスプレイ本体を押圧するだけで，ディスプレイ本体の回動角度（ティルティング角度）を調整することができる。
【０００９】
【特許文献１】
韓国特許出願公開第２０００−００１１０３４号明細書
【特許文献２】
韓国特許出願公開第２０００−００１１０３５号明細書
【特許文献３】
韓国実用新案出願公開第２０００−０００１７６５号明細書
【特許文献４】
韓国実用新案出願公開第２０００−００１４４０４号明細書
【特許文献５】
韓国実用新案出願公開第２０００−００１４４０６号明細書
【特許文献６】
韓国実用新案第２０−０２２４０２４号明細書
【特許文献７】
韓国実用新案第２０−０２４８２２７号明細書
【特許文献８】
韓国実用新案第２０−０２４８２２８号明細書
【特許文献９】
韓国実用新案第２０−０２５６４２２号明細書
【特許文献１０】
韓国実用新案第２０−０２６５７２４号明細書
【特許文献１１】
韓国実用新案第２０−０２６９９５６号明細書
【特許文献１２】
特開平１０−１４９１０６号公報
【特許文献１３】
特開平１１−３４４９３４号公報
【特許文献１４】
欧州特許第０　２２７　０６７　Ａ２号明細書
【発明が解決しようとする課題】
【００１０】
しかしながら，上記従来の設置装置においては，ガスダンパとワイヤを有する緩衝部及びロッキング部材などを設置する必要があるため構造が複雑である，という問題がある。また，ディスプレイ本体のティルティング角度を調整するためには，ユーザがロッキング部材を解除してディスプレイ本体を回動させる必要があり，容易に操作できないという問題もある。さらに，ロッキング部材では，ディスプレイ本体の回動位置が段階的にしか固定できないので，ディスプレイ本体のティルティング角度を微細に調整できないという問題もある。
【００１１】
したがって，本発明の目的は，簡易な構造で，ディスプレイ本体の回動角度（ティルティング角度）を容易かつ微細に調節することが可能な新規かつ改良されたディスプレイ装置を提供することにある。
【００１２】
【課題を解決するための手段】
上記課題を解決するため，本発明の第１の観点においては，画像部を有するディスプレイ本体を含むディスプレイ装置において，前記ディスプレイ本体の背面下方で設置面に対して回動可能に設置された下部ヒンジ部と；前記ディスプレイ本体の背面上方で前記ディスプレイ本体と前記設置面との連結するために設置されるリンク組立体であって；一端部が前記設置面と回動可能に結合され，かつ他端部が第２リンクと相互回動可能に結合される第１リンクと，一端部が前記ディスプレイ本体と回動可能に結合され，他端部が前記第１リンクの前記他端部と相互回動可能に結合される前記第２リンクと，前記第１リンク及び前記第２リンクの各回動地点のうち少なくとも１つに設置され，前記ディスプレイ本体の前記設置面から離隔方向への回動動作に抵抗する弾性力を有するスプリング部材と，を有する前記リンク組立体と；から構成される，ことを特徴とするディスプレイ装置が提供される。
【００１３】
上記記載の発明では，簡易な構造で，ディスプレイ本体の回動角度（ティルティング角度）を容易かつ微細に調節することが可能なディスプレイ装置が提供される。なお，設置面には，壁面も含まれる
【００１４】
また，前記リンク組立体は，さらに，前記第１リンクと前記第２リンクとの回動部に設置され，前記第１リンクと前記第２リンクとの摩擦力を提供する摩擦部を有する，如く構成すれば，ディスプレイ本体を所望の回動位置に維持することができる。また，前記摩擦部の摩擦力は，前記スプリング部材の弾性力より大きい，如く構成すれば，ディスプレイ本体の設置面方向への回動を防止して，所望の回動位置に維持することができる。
【００１５】
また，前記スプリング部材は，捻りコイルスプリングであると共に，前記捻りコイルスプリングは，一方が前記第１リンクに支持され，他方が前記第２リンクに支持される，如く構成することができる。前記摩擦部は，締結ボルトが，前記第１リンク及び前記第２リンクの回動部と，前記捻りコイルスプリング内に貫通挿入されて，少なくとも一つのワッシャを介して締結ナットに締結されることにより形成される，如く構成することができる。
【００１６】
また，前記ディスプレイ装置は，さらに，前記設置面に装着されて，前記ディスプレイ本体及び前記リンク組立体を支持する固定ブラケットを有すると共に，前記固定ブラケットは，上方に前記第２リンクの一端部と回動可能に結合される第１リンクブラケットと，下方に前記ディスプレイ本体の背面の下方と回動可能に結合される第２リンクブラケットと，を有する，如く構成することができる。
【００１７】
また，前記ディスプレイ装置は，さらに，前記ディスプレイ本体の背面に脱着可能に設置されて，前記リンク組立体及び前記固定ブラケットと結合する本体ブラケットを有すると共に，前記本体ブラケットは，上方が前記第１リンクの一端部と回動可能に結合され，下方が前記固定ブラケットの第２リンクブラケットと回動可能に結合される，如く構成することができる。
【００１８】
また，前記ディスプレイ本体の背面には，前記本体ブラケットを結合するための少なくとも１つの結合ボルトが設置されると共に，前記本体ブラケットは，前記ディスプレイ本体の前記結合ボルトを受容する結合受容部を有する，如く構成すれば，ディスプレイ本体を本体ブランケットに連結することができる。
【００１９】
また，前記結合ボルトは，前記ディスプレイ本体の背面に所定間隔で締結されると共に，前記結合ボルトは，その頭部の断面積が前記結合ボルトのネジ部の断面積より大きくなるように形成され，及び前記結合受容部は，その上方は前記結合ボルトの前記頭部の断面積より大きく形成されると共に，その下方は前記結合ボルトの前記頭部の断面積より小さく，かつ前記結合ボルトの前記ネジ部より大きい断面積を有するように形成されている，如く構成れば，ディスプレイ本体を容易に本体ブランケットに連結することができる。
【００２０】
また，前記結合受容部は，複数の位置に形成されている，如く構成すれば，各種サイズのディスプレイ本体と結合することができる。
【００２１】
また，前記結合受容部に挿入された前記結合ボルトは，安全ボルトにより固定されている，如く構成すれば，外力によりディスプレイ本体が離脱されることを防止される。
【００２２】
【発明の実施の形態】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２３】
（第１の実施の形態）
まず，図１〜図３に基づいて，第１の実施の形態にかかるディスプレイ装置について説明する。なお，図１は，第１の実施の形態にかかるディスプレイ本体が所定角度で傾斜した状態を示す側面図である。
【００２４】
第１の実施の形態にかかるディスプレイ装置は，図１に示すように，画像部３を有するディスプレイ本体１と，ディスプレイ本体１を所定の設置面に回動（ティルティング）可能に装着するための設置装置と，を有する。なお，設置面には，壁面も含まれる
【００２５】
かかる設置装置は，ディスプレイ本体１を支持する本体ブラケット５０と，本体ブラケット５０を支持し，壁面７０に装着される固定ブラケット３０と，本体ブラケット５０と固定ブラケット３０との間に介するリンク組立体１０と，などから構成される。
【００２６】
本実施形態にかかる設置装置は，図２に示すように，壁面７０に左右対称的に一対が設置されており，一つのディスプレイ本体１に締結される。以下では，左側の設置装置を基準として説明する。
【００２７】
ディスプレイ本体１は，図１に示すように，その前面にはＬＣＤまたはＰＤＰから形成される画像部３が設置されており，その背面には後述する本体ブラケット５０の結合受容部５１との結合のための複数の結合ボルト５が設置されている。この結合ボルト５は，ディスプレイ本体１の背面から突出するように所定間隔で締結されており，その頭部の断面積は，ネジ部の断面積より大きくなるように形成されている。
【００２８】
本体ブラケット５０は，図３に示すように，“コの字”形状の断面を有しており，その上部には第２リンク１５の第２ピン受容孔１６と回動可能に結合される一対の第２ピン締結孔５３が形成されている。また，本体ブラケット５０の幅は，第２リンク１５の幅より広くなるように形成されており，第２リンク１５の第２ピン受容孔１６は一対の第２ピン締結孔５３の内側面に受容される。
【００２９】
また，本体ブラケット５０の下部には，一対の第３ピン締結孔５５が形成されており，固定ブラケット３０の第２リンクブラケット４５と回動可能に結合されて，下部ヒンジ部６５が形成される。また，本体ブラケット５０の板面には，ディスプレイ本体１の背面に締結された結合ボルト５を受容する結合受容部５１が設置されている。
【００３０】
結合受容部５１は，その上部は結合ボルト５の頭部の断面積より大きくなるように形成され，その下部は結合ボルト５の頭部の断面積より小さく，かつ結合ボルト５のネジ部の断面積より大きくなるように形成される。このことにより，ディスプレイ本体１の背面で所定間隔をおいて結合された結合ボルト５の頭部を結合受容部５１の上部に挿入した後，結合ボルト５を下方に移動させて結合受容部５１の下部に挿入することで，ディスプレイ本体１を本体ブラケット５０に容易に装着することができる。また，結合受容部５１は，多様なサイズのディスプレイ本体１と結合可能とするために複数の位置に形成されている。
【００３１】
また，本体ブラケット５０は，安全ボルト５７と，安全ボルト５７の締結のため結合受容部５１が位置する両側壁に設置された安全ボルト締結孔５６と，を有する。このことにより，安全ボルト締結孔５６に締結された安全ボルト５７が結合受容部５１に挿入された結合ボルト５を固定するので，結合ボルト５が結合受容部５１から離脱することが防止される。したがって，本体ブラケット５０に装着されたディスプレイ本体１が外部の衝撃（例えば，外力）により離脱されることが防止される。
【００３２】
下部ヒンジ部６５では，図２及び図３に示すように，本体ブラケット５０の第３ピン受容孔５５と固定ブラケット３０の第２リンクブラケット４５とが第３ヒンジピン６７で連結されて，本体ブラケット５０が固定ブラケット３０に対して自由回動可能に形成されている。
【００３３】
固定ブラケット３０は，略薄板形状からなり，壁面７０に装着される。固定ブラケット３０の上部には，例えば四角形状の第１貫通孔３１が形成されており，この第１貫通孔３１には，第１リンクブラケット４１の板状部４２に突出形成された側壁部４４が挿入される。この側壁部４４には第１ピン締結孔４３が形成されており，第１ピン６１を介して，第１リンク１１の第１ピン受容孔１２と連結され，第１リンクブラケット４１が回動可能に結合される。
【００３４】
一方，固定ブラケット３０の下部には，例えば四角形状の第２貫通孔３５が形成されており，この第２貫通孔３５には，第２リンクブラケット４５の板状部４６に突出形成された側壁部４８が挿入される。この側壁部４８には第３ピン締結孔４７が形成されており，第３ピン６７を介して，本体ブラケット５０が回動可能に結合される。
【００３５】
第１リンクブラケット４１は，板形状部４２と，板形状部４２から突出形成された一対の側壁部４４とからなる。この側壁部４４には，各々，第１ピン締結孔４３が形成されており，第１リンク１１の第１ピン受容孔１２と回動可能に結合される。
【００３６】
第２リンクブラケット４５は，板形状部４６と，板形状部４６から突出形成された一対の側壁部４８とからなる。この側壁部４８には，各々，第３ピン締結孔４７が形成されており，本体ブラケット５０の第３ピン受容孔５５と回動可能に結合される。
【００３７】
リンク組立体１０は，ディスプレイ本体１の背面上方でディスプレイ本体１と壁面７０とを連結するための第１リンク１１及び第２リンク１５と，コイルスプリング２７と，摩擦部２０とからなる。捻りコイルスプリング２７は，第１リンク１１と第２リンク１５との間に設置され，ディスプレイ本体１が壁面７０から離間方向への回動に抵抗する弾性力を有する。また，摩擦部２０は，第１リンク１１及び第２リンク１５の回動結合部に設置されて，上記捻りコイルスプリング２７の弾性力に抵抗する摩擦力を有する。なお，摩擦部２０の摩擦力は，捻りコイルスプリング２７の弾性力より大きいことが好ましい。
【００３８】
第１リンク１１は，“コの字”形状の断面を有し，一端部には，一対の第１ピン受容孔１２が形成されており，一対の第１ヒンジピン６１を介して第１リンクブラケット４１の第１ピン締結孔４３と連結されて，第１リンク１１が回動可能になる。また，第１リンク１１の他端部には，一対のボルト締結孔１３が形成されており，締結ボルト２１を介して第２リンク１５のボルト受容孔１７と締結されて，第１リンク１１及び第２リンク１５が相互に回動可能となる。
【００３９】
第２リンク１５は，第１リンク１１と同様に“コの字”形状の断面を有し，一端部には，一対の第２ピン受容孔１６が形成されており，一対の一対の第２ヒンジピン６３を介して本体ブラケット５０の第２ピン締結孔５３と連結されて，第２リンク１５及び本体ブラケット５０が相互に回動可能になる。また，第２リンク１５の他端部には，一対のボルト受容孔１７が形成されており，締結ボルト２１を介して第１リンク１１のボルト締結孔１３と締結されて，第１リンク１１及び第２リンク１５が相互に回動可能となる。なお，第２リンク１５の幅が第１リンク１１の幅より大きく形成されているので，第２リンク１５が第１リンク１１側に回動すると，第１リンク１１が第２リンク１５に受容される。
【００４０】
捻りコイルスプリング２７は，摩擦部２０の締結ボルト２１に受容され，一方が第１リンク１１に支持され，他方が第２リンク１５に支持される。この捻りコイルスプリング２７は，第２リンク１５と第１リンク１１との離間方向への回動に対して抵抗する弾性力を有する。この弾性力により，ディスプレイ本体１は壁面７０の方向に弾性付勢される。また，捻りコイルスプリング２７の弾性力は，ディスプレイ本体１の自重（Ｗ）により下部ヒンジ部６５を回転中心とするトルクに相応する力であるのが好ましい。
【００４１】
摩擦部２０は，締結ボルト２１が，第１リンク１１のボルト締結孔１３と第２リンク１５のボルト受容孔１７と，捻りコイルスプリング２７の内部を挿入されて，複数のワッシャ２５を介して，締結ナット２３と締結されることにより形成される。かかる摩擦部２０には，第１リンク１１と第２リンク１５の相互回動に抵抗する摩擦力が発生される。
【００４２】
かかる摩擦力は，捻りコイルスプリング２７の弾性力より多少なりとも大きくなければならない。このことにより，ディスプレイ本体１（即ち，本体ブランケット５０）を固定ブラケット３０に対して所定角度の回動した位置に傾けた場合であっても，摩擦部２０の摩擦力は捻りコイルスプリング２７の弾性力よりも大きいので，ディスプレイ本体１（即ち，本体ブランケット５０）はその回動角度をそのまま維持することができる。なお，締結ボルト２１と締結ナット２３との間に設置される複数のワッシャ２５は，締結ボルト２１と締結ナット２３との締結が解除されることを防止するためのものである。
【００４３】
次に，図４に基づいて，本実施形態にかかるディスプレイ装置を壁面方向に回動させた状態を説明する。なお，図４は，本実施形態にかかるディスプレイ装置を壁面方向に回動させた状態を示す側面図である。
【００４４】
まず，ユーザは，図１に示すディスプレイ本体が所定角度回動した状態から，ディスプレイ本体１を壁面７０方向に加圧する。このとき，本実施形態にかかるディスプレイ装置は，図４に示すように，ディスプレイ本体１が下部ヒンジ部６５を中心として回動して最大折曲した状態（ディスプレイ本体が壁面と平行になる状態）となる。このとき，捻りコイルスプリング２７の弾性力は，ディスプレイ本体１が壁面方向に回動する方向に働いているので，ユーザは多大な力を加えなくとも，ディスプレイ本体１を壁面７０方向に回動させることができる。なお，この状態においては，第２リンク１５が第１リンクに受容されると共に，本体ブラケット５０が第２リンク１５を受容するので，本体ブラケット５０が固定ブラケット３０にほぼ接する状態となっている。かかる状態は，摩擦部２０の摩擦力により維持される。
【００４５】
したがって，図１に示す所定角度で回動されているディスプレイ本体１を壁面７０の方向に回動させるためには，ディスプレイ本体１の上方を上向き加圧力（Ｆ１）で加圧して，下部ヒンジ部６５を中心として発生される上向き加圧トルク（Ｔ１＝Ｆ１ｘＬ１）が必要となる。
【００４６】
かかる上向き加圧トルク（Ｔ１）は，摩擦部２０の摩擦力による摩擦エネルギ（Ｅ１）から，ディスプレイ本体１の自重（Ｗ）が下部ヒンジ部６５を中心として発生するトルク（Ｔ２＝ＷｘＬ２）と，トルク（Ｔ２）に反対方向にディスプレイ本体１を弾性付勢させる捻りコイルスプリング２７の弾性力による弾性エネルギ（Ｅ２）とを引いた値よりも，多少なりとも大きければよい。即ち，上向き加圧トルク（Ｔ１）は，Ｔ１＞Ｅ１−（Ｅ２−Ｔ２）でなければならない。
【００４７】
また，上記のように，捻りコイルスプリング２７の弾性力による弾性エネルギ（Ｅ２）は，ディスプレイ本体１のトルク（Ｔ２）と近いことが好ましいので，実際上は，上向き加圧トルク（Ｔ１）は摩擦部２０の摩擦力による摩擦エネルギ（Ｅ１）より多少なりとも大きければよい。
【００４８】
次に，本実施形態にかかるディスプレイ装置を更に壁面から離間する方向に回動させた状態について説明する。なお，図５は，本実施形態にかかるディスプレイ装置を更に壁面から離間する方向に回動させた状態を示す側面図である。
【００４９】
まず，ユーザは，図１に示すディスプレイ本体を，壁面７０の反対方向に加圧する。このとき，本実施形態にかかるディスプレイ装置は，図５に示すように，ディスプレイ本体１が下部ヒンジ部６５を中心として回動する。この場合においても，捻りコイルスプリング２７の弾性力は，ディスプレイ本体１が壁面方向に回動する方向に働いている。したがって，ディスプレイ本体１が壁面７０の急激に反対方向に回動することが防止される。かかるディスプレイ本体がさらに壁面から離間回動した位置においても，摩擦部２０の摩擦力により，その状態が維持される。
【００５０】
また，本体ブラケット５０と固定ブラケット３０との間に存在する，第１リンク１１，第２リンク１２，下部ヒンジ部６５のうち少なくとも１つの地点にストッパー（図示せず）を設けることができる。かかるストッパにより，ディスプレイ本体１が所定角度に回動した後，さらに回動することが効果的に防止される。
【００５１】
したがって，図１に示す所定角度で回動されているディスプレイ本体１を壁面７０の反対方向に回動させるためには，ディスプレイ本体１の上方を下向き加圧力（Ｆ２）で加圧して，下部ヒンジ部６５を中心として発生される下向き加圧トルク（ｔ１＝Ｆ２ｘＬ１）が必要となる。
【００５２】
かかる下向き加圧トルク（ｔ１）は，摩擦部２０の摩擦力による摩擦エネルギ（Ｅ１）から，ディスプレイ本体１の自重（Ｗ）が下部ヒンジ部６５を中心として発生されるトルク（Ｔ２＝ＷｘＬ２）と，トルク（Ｔ２）の反対方向にディスプレイ本体１を弾性付勢させる捻りコイルスプリング２７の弾性力による弾性エネルギ（Ｅ２）とを引いた値よりも，多少なりとも大きければよい。即ち，下向き加圧トルク（ｔ１）は，ｔ１＞Ｅ１−（Ｔ２−Ｅ２）でなければならない。
【００５３】
また，上記のように，捻りコイルスプリング２７の弾性力による弾性エネルギ（Ｅ２）は，ディスプレイ本体１のトルク（Ｔ２）と近いことが好ましいので，実際上は，下向き加圧トルク（ｔ１）は摩擦部２０の摩擦力による摩擦エネルギ（Ｅ１）より多少なりとも大きければよい。
【００５４】
上記に示すように，本実施形態にかかるディスプレイ装置においては，ディスプレイ本体を上向き又は下向きに回動させる場合には，上向き加圧トルク（Ｔ１）と下向き加圧トルク（ｔ１）とがほぼ一致する。したがって，ユーザは，ディスプレイ本体１を上向き又は下向き回動させる際には，両方向共にほぼ同一の力で加圧すればよい。即ち，ユーザがディスプレイ本体１を上向き又は下向き回動する際には，どちらの方向に回動させるにしても加圧力の差がなく，快適に回動させることができる。また，ユーザは，ディスプレイ本体１を所望の回動角度となるように微細に調整することができる。
【００５５】
このように，本実施形態にかかるディスプレイ装置は，簡易な構造で多大な力を加えることなく小さな力でもディスプレイ本体の回動角を調節することができる。さらに，ディスプレイ本体を上向き及び下向き回動させる際には，ほぼ同じ力を加えれば良いので，ユーザは，ディスプレイ本体の回動角度を快適かつ微細に調節することができる。
【００５６】
以上，本発明に係る好適な実施の形態について説明したが，本発明はかかる構成に限定されない。当業者であれば，特許請求の範囲に記載された技術思想の範囲内において，各種の修正例および変更例を想定し得るものであり，それらの修正例および変更例についても本発明の技術範囲に包含されるものと了解される。
【００５７】
例えば，上記実施形態においては，壁面７０とリンク組立体１０との間に固定ブラケット３０を別途に設けた例を挙げて説明したが，かかる例には限定されない。例えばリンク組立体１０が壁面７０に回動可能に直接に装着することもできる。
【００５８】
また，上記実施形態においては，リンク組立体１０とディスプレイ本体１との間に本体ブラケット５０を別途に設けた例を挙げて説明したが，かかる例には限定されない。例えば，リンク組立体１０がディスプレイ本体１に回動可能に直接に装着することもできる。
【００５９】
また，上記実施形態においては，第１リンク１１と第２リンク１５との間に摩擦力を提供する摩擦部２０を設けた例を挙げて説明したが，かかる例には限定されない。例えば，固定ブラケット３０と第１リンク１１との間の回動地点に摩擦部を設けることもでき，また，本体ブラケット５０と第２リンク１５との間の回動地点に摩擦部を設けることもできる。
【００６０】
また，上記実施形態においては，第１リンク１１と第２リンク１５との間の摩擦部２０に弾性力を提供する捻りコイルスプリング２７を設けた例を挙げて説明したが，かかる例には限定されない。例えば，ディスプレイ本体１と壁面７０との間に設置された第１リンク１１及び第２リンク１５の回動地点のうち少なくとも一つに弾性力を提供することができる板ばねやコイルばねなどのスプリング部材を設けることもできる。
【００６１】
また，上記実施形態において，一つのディスプレイ本体１に設置装置が左右に対称的に一対が設けた例を挙げて説明したが，かかる例には限定されない。例えば，ディスプレイ本体のサイズに応じて１又は３以上の設置装置を設けることもできる。
【００６２】
また，上記実施形態においては，ディスプレイ本体１が本体ブラケット５０から離脱することを防止するための安全ボルト５７及び安全ボルト締結孔５６が設けた例を挙げて説明したが，かかる例には限定されない。例えば，安全ボルト５７に代えてネジ形状のない安全ピンとこれを受容することができる安全ピン受容孔を設けることもできる。
【００６３】
【発明の効果】
簡易な構造で，ディスプレイ本体のティルティング角度を容易かつ微細に調節することが可能なディスプレイ装置が提供される。
【図面の簡単な説明】
【図１】第１の実施の形態にかかるディスプレイ本体が所定角度で傾斜した状態を示す側面図である。
【図２】第１の実施の形態にかかるディスプレイ設置装置が壁に装着された状態を示す斜視図である。
【図３】第１の実施の形態にかかるディスプレイ設置装置の部分分解斜視図である。
【図４】第１の実施の形態にかかるディスプレイ装置を壁面方向に回動させた状態を示す側面図である。
【図５】第１の実施の形態にかかるディスプレイ装置を更に壁面から離間する方向に回動させた状態を示す側面図である。
【図６】従来におけるディスプレイ装置の構成を示す側面図である。
【符号の説明】
１　ディスプレイ本体
３　画像部
５　結合ボルト
１０　リンク組立体
１１　第１リンク
１５　第２リンク
２０　摩擦部
２１　締結ボルト
２３　締結ナット
２５　ワッシャ
２７　捻りコイルスプリング
３０　固定ブラケット
４１　第１リンクブラケット
４５　第２リンクブラケット
５０　本体ブラケット
５１　結合受容部
６１　第１ヒンジピン
６３　第２ヒンジピン
６５　下部ヒンジ部
６７　第３ヒンジピン
７０　壁面
【図１】
2004007369.tif 000003
【図２】
2004007369.tif 000004
【図３】
2004007369.tif 000005
【図４】
2004007369.tif 000006
【図５】
2004007369.tif 000007
【図６】
2004007369.tif 000008